(57)【要約】　　　（修正有）【課題】擦弦楽器用の長さ調節機能を有する新位置魂柱の使用方法・設置位置・構造等の開発により、音量・音質改善を目指す。【解決手段】高音弦側のｆ字形音響孔の内側の縁、及び、これに連続する小胴側の丸孔縁間での孔縁をその使用範囲とし、上接点前記範囲の表板の最善位置へ接触し、下接点を該当位置の裏板に接触させて、表板と裏板との間に立てる振動伝達部材であり、前記上接点は、ｆ字形音響孔縁を容易に嵌め込むに足る窪み部の一部であり、この窪み部の上へ、設置範囲内で容易に最善位置へ移動調整するための手動用摘み部を設ける構造であり、前記摘み部と前記上接点を有する上部材と前記下接点側の下部材との二部材構成にし、この両部材をスライドさせて必要な長さに調節する構造の魂柱を、単独使用・従来の胴内魂柱との併用等の使用法の内から、効果の高い使用法を選択する。【選択図】　　　図３
2004133367.tif 000002
【特許請求の範囲】
【請求項１】
擦弦楽器の魂柱は、駒位置より少し大胴側寄りで高音弦側胴内Ｂ位置へ立てて、表板・裏板間の振動伝達をしているが、これとは別に該当擦弦楽器の高音弦側ｆ字形音響孔の内側縁全体から小胴側の丸孔縁までの孔縁直近を魂柱使用の範囲Ａとし、前記範囲Ａ内直下の胴内を移動つつ該当擦弦楽器での魂柱使用最善位置を決定し、ここへ振動伝達部材としての魂柱を新たに設け、前記範囲Ａ内に設ける魂柱には、従来の前記胴内Ｂ位置魂柱と同構造にした単純棒状魂柱のほか、魂柱使用位置不確定のため長さ調節機能を有し、使用時に胴外へ突出する手動用の摘み部３を上部へ設けた摘み付き魂柱が有り、この二種類のどちらか一方の振動伝達部材としての新位置魂柱を用い、
前記新位置魂柱は、単独使用でも、また、前記胴内Ｂ位置魂柱との併用でも、個々の該当擦弦楽器での前記範囲Ａ内の孔縁直近最善位置直下の胴内へ立てて、表板・裏板間の振動伝達部材とする振動伝達方式であるが、前記摘み付き魂柱との併用では、前記胴内Ｂ位置魂柱は動かさず、前記摘み付き魂柱の方を手動にて移動調整し、前記範囲Ａ内最善位置を探る使用方法を特徴とするものである。
以上の構成から成る、右ｆ字形音響孔の内側縁直下魂柱の使用方法。
【発明の詳細な説明】
【０００１】
【産業上の利用分野】
従来の擦弦楽器魂柱である前記胴内Ｂ位置魂柱（以下、単にＢ魂柱と呼ぶ）のみ使用した該当擦弦楽器の音量・音質に不満がある場合に、前記新位置魂柱（単純棒状・摘み付き）を振動伝達部材として前記範囲Ａ内直下の最善位置へ設け、この二種類の前記新位置魂柱とＢ魂柱との使用方法（前記新位置魂柱の単独使用・新旧魂柱の併用）に関し、前記新位置魂柱の設置位置・構造に関する。
【０００２】
【従来の技術】
従来の擦弦楽器の魂柱は、駒位置より少し大胴側寄りで高音弦側の胴内へ、Ｂ塊柱として立てて、弦振動を駒・表板から裏板へと伝達する構造である。
【０００３】
【発明が解決しようとする課題】
従来の擦弦楽器魂柱の最善位置を探るには、特別な道具が必要であり移動困難のため、容易に移動可能な魂柱の構造開発と、その新魂柱の単独使用・Ｂ魂柱との併用等により、従来のＢ魂柱使用時を越える振動伝達効率を達成すること。
【０００４】
【課題を解決するための手段】
新魂柱の前記新位置魂柱を前記摘み付き魂柱にした場合は、魂柱位置変更のための長さ調節機能を有するので、魂柱の長さを調節しつつ上部に設ける摘み部３を手で持ち、前記範囲Ａ内の最善位置へ容易に移動が可能な構造のため、単独使用するほか、Ｂ魂柱との併用等により、一層、振動伝達効率の向上を実現する。
【作用】
【０００５】
前記新位置魂柱（単純棒状・摘み付き）の使用方は、（単独・Ｂ魂柱と併用）のどちらも、前記範囲Ａ内の最善位置直下の胴内へ立てて使用し、前記摘み付き魂柱は、前記摘み部３を持ち手動にて前記範囲Ａ内を移動しつつ、該当擦弦楽器での最善位置を図２のＡＩ〜Ａ７位置から選択し、表板から裏板へ振動伝達する。
【０００６】
前記新位置魂柱（単純棒状・摘み付き）とＢ魂柱との併用では、Ｂ魂柱を従来の位置へ固定したまま、前記新位置魂柱の方を図２のＡＩ〜Ａ７位置間での移動のため、Ｂ魂柱側の近く（Ａ５・Ａ６・Ａ７）位置へ、前記新位置魂柱を立てる事もある。
【０００７】
前記新位置魂柱の単独使用は、効果の欄の「実験２」に記載してあり、バイオリン▲１▼の実験でＡ３位置使用では、前記胴内Ｂ位置魂柱のみ使用時より「優るとも劣らず」の結果になった事から、Ｂ魂柱のある板面の振動よりも、ｆ字形音響孔の内側縁直近の前記範囲Ａ内、即ち、孔縁の方が板面より制約が少ないので、自由に振動するため、一層、強く振動する事が原因であろうと推測できる。
【０００８】
前記新位置魂柱（単純棒状）の使用方も、図２に記載するように前記範囲Ａ内の最善位置の孔縁直近へ立てるが、孔縁直近であれば、魂柱全体がｆ字形音響孔縁から見えなくなる位置まで入れて使用しても良い。
【０００９】
前記新位置魂柱は、前記範囲Ａ内最善位置の表板裏面へ接触する上接点１と、裏板該当箇所へ接触する底部の下接点２とを有して、振動伝達をする。
【００１０】
魂柱使用最善位置が不確定の場合の前記摘み付き魂柱の長さ調節機能は、前記摘み部３・前記上接点１を有する側の上部材５と、前記下接点２側の下部材６との二部材に分けて、この二部材５・６の合わせ部分をスライドさせて、最善位置に必要な長さに調節する構造と、前記下部材６そのものの長さを替えたスペア交換か、前記上部材５と前記下部材６との接合部を延ばして、この部分の隙間へ適当厚のチップ８を追加する構造、また、長めにした魂柱下部の不要部分を切断する等の方法により、前記摘み付き魂柱の長さ調節をする構造等が有る。
【００１１】
【実施例】
本発明の実施例ついて図面を参照して説明する。
【００１２】
前記新位置魂柱（単純棒状・摘み付き）設置位置は、前記範囲Ａ内（図１・図２の塗り潰し部分）の孔縁直近位置の裏面直下である。（図１・図２）
【００１３】
前記新位置魂柱（単純棒状・摘み付き）の前者は説明不要と思うので、以下、（００１６）まで『前記摘み付き魂柱についての全般説明』をする。
【００１４】
前記摘み付き魂柱は、前記範囲Ａ内最善位置の孔縁直近裏面に接する上接点１と、裏板に接する魂柱の底辺である前記下接点２を有し、この最善位置の表板裏面へ、前記上接点１・単純棒状魂柱上辺を接触させ、前記下接点２を該当位置の裏板へ接触させる振動伝達方式であり、前記摘み付き魂柱の前記上接点１は、ｆ字形音響孔の内側縁全体の該当箇所の厚みを容易に嵌め込むに足る窪み部分の一部であり、この窪み部分の上に胴外へ突出する摘み部３を有し、手動にて最善位置へ移動する構造である。（図３・図４・図５・図７・図９・図１０・図１２）
【００１５】
前記摘み付き魂柱の試作は木製であり、前記上接点１の片端を少し下げることで、前記範囲Ａ内最善位置へ魂柱を立てる際に、低い方から少し斜めに入れてから直立させると、表板該当位置裏面は前記上接点１の高い所に接触するので、前記下接点２は、一層強く裏板を押し下げて固定力を増す構造であるため、前記下接点２である魂柱の底辺も少し角を削る構造にする。（図３・図９）
【００１６】
前記新位置魂柱（単純棒状・摘み付き）の太さについては、太さを変えて実験したが、性能の変化を確認できなかったので、バイオリンでは、柱の部分の直径が３，５ｍｍ以上であって、ｆ字形音響孔に入る範囲内であれば良い。（図２）
【００１７】
「前記摘み付き魂柱の構造Ｉ」
前記摘み付き魂柱の位置が決定している場合は、前記上接点１から前記下接点２までを必要な長さに切り、前記窪み部分上部に胴外へ突出する摘み部３を有する一部材構成であり、試作品の直径はバイオリン用でおよそ５ｍｍ・チェロ用では８ｍｍにて製作し、これが前記摘み付き魂柱の原形構造であり、図面での細い点線は、直径３，５ｍｍにした図１２の構造でもある（図３・図４）
【００１８】
「前記摘み付き魂柱の構造ＩＩ」
前記摘み付き魂柱の第２実施例として、上記原形構造の柱の部分の中程から切断して、前記上接点１・前記摘み部３を有する上部材５と前記下接点２を有する底辺側の下部材６とに分け、この両部材を繋ぐ部材として試作では、木製の丸棒に穴を開けた円筒部材４を使用し、この円筒部材４の上半分までを前記上部材５側へ糊付け固定して、下半分の穴へ前記下部材６を単に差し込む構造であり、必要な長さにするには、長さの異なる前記下部材６のスペアを用意しておき差し替える構造であり、また、接続部の隙間へ図１０の様に相当厚のチップ８を入れて長さ調節をしても良く、音質に問題がなければ、前記円筒部材４の材質をプラスチック製・薄い金属製にした方が強度の点では良いと思う。（図５・図６）
【００１９】
「前記摘み付き魂柱の構造ＩＩＩ」
前記摘み付き魂柱の長さ調節機能の第３実施例として、横幅を少し広げた前記上部材５側へ凹溝を縦に彫り、前記下部材６側に凸部を設けて、この凹凸部を嵌め込みスライドさせて魂柱の長さを調節した後、両部材を強く押して、その摩擦力にて固定する構造であり、試作では、全体塗装をして摩擦力を強めたが、現実には、長さ決定後は糊付け固定が望ましく、両部材５・６の接合部分の断面形は長方形の角を取ったような丸みをおびた形である。（図７・図８・図９）
【００２０】
「前記摘み付き魂柱の構造ＩＶ」
前記摘み付き魂柱の長さ調節機能の第４実施例として、前記上部材５と前記下部材６とに分けて、この両部材５・６に縦穴を開け、試作品では、この穴に市販の竹串７の上部を前記上部材５側へ通して糊付け固定し、前記竹串７の下部突出部分を前記下部材６の穴へ差し込み任意の長さを決定する構造で、必要な長さにするには、長さの異なる前記下部材６のスペアを用意しておき、差し替える構造であり、前記下部材６を必要な長さに引き抜き、前記上部材５との隙間の前記竹串７が露出する部分へプラスチック製前記チップ８を挟む構造でも良いと思う。
（図１０・図１１）
【００２１】
「前記摘み付き魂柱の構造Ｖ」
前記摘み付き魂柱の長さ調節機能の第５実施例として、魂柱の柱部分が３，５ｍｍ程度で少し長めの角材を前記原形構造にして用い、該当擦弦楽器の前記範囲Ａ内での最善位置を探るためのものであり、最も長いと思う魂柱設置位置から短い方へ魂柱下部の不要部分を切断する使用方であり、魂柱使用位置の長さを測るための物差しとして用いるので、洋鋏でも簡単に切れる細さが良い。（図１２）
【００２２】
【発明の効果】
「前記新位置魂柱（摘み付き魂柱）使用実験の結果」
実験１　　Ｂ魂柱のみの音量・音質を基準音として、以下の記載をする。
実験２　　前記新位置魂柱のみ前記範囲Ａ内最善位置へ使用の場合は、基準音とほぼ同等、強いて言えば、「優るとも劣らず」の効果ありと思う。
実験３　　前記新位置魂柱を図２のＡ１またはＡ３位置へ立てて、Ｂ魂柱と併用した場合、バイオリン▲１▼では音量・音質共に改善され、また、バイオリン▲２▼では、Ｂ魂柱側のＡ７位置へ前記新位置魂柱を立てた方が、明らかに基準音より優る結果から、前記新位置魂柱は、あくまでも個々の該当擦弦楽器で試して位置決定をする必要がある。
実験４　　因みに、前記摘み付き魂柱を低音弦側のｆ字形音響孔の上記と対称位置へ単独・併用した場合は、第４・３・２弦では音量が基準音より減少するものの、第１弦ではほとんど効果が無く、ほぼ普通の音量で鳴ってしまうので、弱音器としては使用できない事が残念である。
上記の実験結果から、Ｂ魂柱のみの音量・音質を基準にした場合、前記新位置魂柱のみでも同等以上の効果があり、前記摘み付き魂柱とＢ魂柱との併用では、明らかに上記基準音を越えることを確認した。
【００２３】
Ｂ魂柱のように移動に際し、特別の道具を使用しない前記新位置魂柱の（前記摘み付き魂柱）を使用すれば、Ｂ魂柱不動のまま、前記範囲Ａ内を手動にて容易に移動調整して、Ｂ魂柱との相性が良い位置を決定できる。
【００２４】
前記摘み付き魂柱の前記摘み部３が胴外へ突出しても、演奏上は全く問題ないが、外見的に「違和感あり」とするならば、前記摘み部３には飾り部品を組み合わせ、その短所を逆にチャームポイントにする事が考えられ、例えば、プラスチック製カラーカバーや、高級品にするならば、真珠と組み合わせると（図９）のイメージになり、その他の宝石類との組み合わせ等が考えられるし、なにより、前記新位置魂柱の当初の主題である音量・音質の向上は、有望と思う。
【図面の簡単な説明】
【図１】前記新位置魂柱の使用範囲Ａ内とＢ魂柱位置の説明図である。
【図２】右ｆ字形音響孔での前記新位置魂柱のＡ１〜Ａ７位置とＢ魂柱位置、及び、駒位置の部分拡大説明図である。
【図３】前記原形構造の前記摘み付き魂柱使用時の正面図である。
【図４】前記原形構造の前記摘み付き魂柱の側面図である。
【図５】円筒状接続部材４へ前記上部材５と前記下部材６を差し込み後の、前記摘み付き魂柱の第ＩＩ実施例の側面図である。
【図６】円筒状接続部材４へ前記上部材５と前記下部材６を差し込み後の、前記摘み付き魂柱の第ＩＩ実施例の底面図である。
【図７】嵌め込み部を凹凸構造にした二部材スライド構造の長さ調節機能を有する前記摘み付き魂柱の第ＩＩＩ実施例の側面図である。
【図８】嵌め込み部を凹凸構造にした二部材スライド構造の長さ調節機能を有する前記摘み付き魂柱の第ＩＩＩ実施例の拡大底面図である。
【図９】最上部に飾り部品を設けて、嵌め込み部を凹凸構造にした二部材スライド構造の前記摘み付き魂柱の第ＩＩＩ実施例の拡大正面図であ
る。
【図１０】前記上部材５とチップ８・前記下部材６とに縦穴を開けて、竹串７の心棒を通した前記摘み付き魂柱の第ＩＶ実施例の側面図である。
【図１１】前記摘み付き魂柱の前記下部材６第ＩＶ実施例の拡大斜視図である。
【図１２】前記新位置魂柱の最善位置・長さ決定のための物差しとして使用する第Ｖ実施例の斜視図である。
【符号の説明】
Ａ………新位置魂柱（単純棒状・摘み付き）の設置範囲
Ｂ………従来の胴内Ｂ位置魂柱・Ｂ魂柱・擦弦楽器の従来魂柱設置位置
１………表板裏面への接触部
２………裏板への接触部（魂柱の底辺）
３………摘み部
４………円筒部材（木製・プラスチック製・金属製）
５………上部材（前記摘み部３・前記上接点１を有する部材）
６………下部材（魂柱下部の前記下接点２を有する部材）
７………竹串（心棒）
８………チップ（隙間を詰める間部材）
【図１】
2004133367.tif 000003
【図２】
2004133367.tif 000004
【図３】
2004133367.tif 000005
【図４】
2004133367.tif 000006
【図５】
2004133367.tif 000007
【図６】
2004133367.tif 000008
【図７】
2004133367.tif 000009
【図８】
2004133367.tif 000010
【図９】
2004133367.tif 000011
【図１０】
2004133367.tif 000012
【図１１】
2004133367.tif 000013
【図１２】
2004133367.tif 000014